(57)【要約】【課題】無線パケット通信装置が、周辺の通信可能な無線基地局からの信号受信電力の強度に加え、無線基地局における通信トラヒック量情報を考慮して収容切替先となる無線基地局を選択することができる無線通信システムを提供する。【解決手段】無線基地局１０−１に収容されている無線パケット通信装置２０−１は、移動により無線基地局１０−１からの信号受信電力が弱くなった場合、信号受信電力強度に基づいて選択した収容切替先の無線基地局１０−２に対して、通信トラヒック量情報の送信の要求を含む収容切替要求メッセージを送信する。そして、無線基地局１０−２から返送された通信トラヒック量情報に基づき、収容切替を実施するか否かを判定する。収容切替を実施すると判断した場合、無線基地局１０−２との通信を開始する。【選択図】  図１
2004186953.tif 000002
【特許請求の範囲】
【請求項１】
無線パケット通信装置と、前記無線パケット通信装置と通信を行う無線基地局とからなる無線通信システムであって、
前記無線パケット通信装置は、
収容先の無線基地局の切替を必要とするときに、収容切替先の無線基地局を選択して通信トラヒック量情報の送信を要求するとともに、該要求に対応して収容切替先の無線基地局から受信した通信トラヒック量情報に基づき当該無線基地局への収容先切替を実施するか否かを判断し、この切替を実施することを決定した場合に該収容切替先の無線基地局との通信を行う収容切替判定手段を有し、
前記無線基地局は、
収容する無線パケット通信装置の情報を記憶するとともに、前記無線パケット通信装置から通信トラヒック量情報の送信の要求を受け、該無線パケット通信装置の収容を登録する無線パケット通信装置収容管理手段と、
該無線基地局が収容している全ての無線パケット通信装置の通信トラヒック量を測定し、該要求の送信元の無線パケット通信装置へ通信トラヒック量情報を通知するトラヒック量測定伝送手段とを有する、
ことを特徴とする無線通信システム。
【請求項２】
無線パケット通信装置と、前記無線パケット通信装置と通信を行う無線基地局とからなる無線通信システムにおける無線パケット通信装置であって、
収容先の無線基地局の切替を必要とするときに、収容切替先の無線基地局を選択して通信トラヒック量情報の送信を要求するとともに、該要求に対応して収容切替先の無線基地局から受信した通信トラヒック量情報に基づき当該無線基地局への収容先切替を実施するか否かを判断し、この切替を実施することを決定した場合に該収容切替先の無線基地局との通信を行う収容切替判定手段、
を有することを特徴とする無線パケット通信装置。
【請求項３】
無線パケット通信装置と、前記無線パケット通信装置と通信を行う無線基地局とからなる無線通信システムにおける無線基地局であって、
収容する無線パケット通信装置の情報を記憶するとともに、前記無線パケット通信装置から通信トラヒック量情報の送信の要求を受け、該無線パケット通信装置の収容を登録する無線パケット通信装置収容管理手段と、
該無線基地局が収容している全ての無線パケット通信装置の通信トラヒック量を測定し、該要求の送信元の無線パケット通信装置へ通信トラヒック量情報を通知するトラヒック量測定伝送手段と、
を有することを特徴とする無線基地局。
【請求項４】
無線パケット通信装置と、前記無線パケット通信装置と通信を行う無線基地局とからなる無線通信システムに用いられる収容切替方法であって、
前記無線パケット通信装置が、
収容先の無線基地局の切替を必要とするときに、収容切替先の無線基地局を選択して通信トラヒック量情報の送信を要求し、
前記無線基地局が、
前記無線パケット通信装置から通信トラヒック量情報の送信の要求を受け、該無線パケット通信装置の収容状態を内部に記憶し、
該無線基地局が収容している全ての無線パケット通信装置の通信トラヒック量を測定して、該要求の送信元の無線パケット通信装置へ通信トラヒック量情報を通知し、
前記無線パケット通信装置が、
前記通信トラヒック量情報の要求に対応して受信した通信トラヒック量情報に基づき当該無線基地局への収容先切替を実施するか否かを判断し、
この切替を実施することを決定した場合に該収容切替先の無線基地局との通信を行う、
ことを特徴とする収容切替方法。
【請求項５】
無線パケット通信装置と、前記無線パケット通信装置と通信を行う無線基地局とからなる無線通信システムにおける無線パケット装置に用いられる収容切替方法であって、
収容先の無線基地局の切替を必要とするときに、収容切替先の無線基地局を選択して通信トラヒック量情報の送信を要求し、
該要求に対応して受信した通信トラヒック量情報に基づき当該無線基地局への収容先切替を実施するか否かを判断し、
この切替を実施することを決定した場合に該収容切替先の無線基地局との通信を行う、
ことを特徴とする収容切替方法。
【請求項６】
無線パケット通信装置と、前記無線パケット通信装置と通信を行う無線基地局とからなる無線通信システムにおける無線基地局に用いられる収容切替方法であって、
前記無線パケット通信装置から通信トラヒック量情報の送信の要求を受け、該無線パケット通信装置の収容状態を内部に記憶し、
該無線基地局が収容している全ての無線パケット通信装置の通信トラヒック量を測定して、該要求の送信元の無線パケット通信装置へ通信トラヒック量情報を通知する、
ことを特徴とする収容切替方法。
【発明の詳細な説明】
【０００１】
【発明の属する技術分野】
本発明は無線パケット通信装置および無線基地局からなる無線通信システムに関する。
【０００２】
【従来の技術】
特許文献１には、携帯無線端末（無線パケット通信装置）の移動に伴う無線基地局間のハンドオーバーが可能な無線通信システムの技術が開示されている。このような、無線通信システムにおいて、無線パケット通信装置が無線基地局への収容切替を行う場合の例を図３に示す。
無線通信システムは、複数の無線基地局５０−１〜５０−ｎ（以下、無線基地局５０）と、複数の無線パケット通信装置６０−１〜６０−ｎ（以下、無線パケット通信装置６０）とからなる。そして、無線パケット通信装置６０が無線通信を行うためには、少なくとも一台の無線基地局５０に収容されている必要があり、強い電力の信号を受信可能な無線基地局５０に収容される場合が多い。また、無線基地局５０は、複数の無線パケット通信装置６０を収容可能である。
図においては、無線基地局５０−１の通信可能範囲Ａと、無線基地局５０−２の通信可能範囲Ｂが示されている。また、無線基地局５０―１は、通信可能範囲Ａ内にある無線パケット通信装置６０−１を収容し、無線基地局５０−２は、通信可能範囲Ｂ内にある無線パケット通信装置６０−２を収容している。
同図において、無線パケット通信装置６０−１が通信可能範囲Ａから通信可能範囲Ｂの方向へ移動し、収容先の無線基地局５０−１から遠ざかるとする。これにより、無線基地局５０−１から送信された信号の受信電力が弱まり、無線基地局５０−２から送信された信号の受信電力が強まる。そこで、無線パケット通信装置６０−１は、無線基地局５０−１から無線基地局５０−２に対して、収容切替を行う。
【０００３】
図４は、従来の無線通信システムの構成例を示すブロック図である。なお、図３と対応する部分に同一符号をつけてある。図において、無線パケット通信装置６０−１は、無線基地局５０−１に収容されている。
無線基地局５０において、パケット入出力端子５１から入力されたデータは、無線データ処理回路５２により無線通信に必要な誤り制御符号化等が行われ、無線インタフェース回路５３により無線送信に必要なタイミング処理等が行われる。その後、無線送受信機５４において変調され、送信周波数にアップコンバートされ、アンテナ５５より送信される。また、無線パケット通信装置６０が送信した信号は、アンテナ５５により受信され、無線送受信機５４において受信周波数からダウンコンバートされた後、復調され、無線インタフェース回路５３により無線受信に必要なタイミング処理等が行われる。その後、無線データ処理回路５２において、無線通信に必要な誤り制御復号化等が行われ、パケット入出力端子５１より出力される。制御回路５６は接続される各回路および無線送受信機５４に対する動作制御を行う。無線パケット通信装置収容管理回路５７は、自身が収容している全ての無線パケット通信装置６０に関する収容登録状態を管理しており、新たに無線パケット通信装置６０を収容する際や、収容している無線パケット通信装置６０が収容解除となる際に収容登録状態を更新する回路である。
無線パケット通信装置６０において、無線基地局５０との間の信号・データの処理は、パケット入出力端子６１、無線データ処理回路６２、無線インタフェース回路６３、無線送受信機６４、アンテナ６５によりそれぞれ、無線基地局５０のパケット入出力端子５１、無線データ処理回路５２、無線インタフェース回路５３、無線送受信機５４、アンテナ５５と同様の機能及び動作により行なわれる。また、制御回路６６は接続される各回路および無線送受信機６４に対する動作制御を行う。
同図において無線パケット通信装置６０−１は、無線基地局５０−１に収容されているため、無線基地局５０−１からの信号を受信するが、無線パケット通信装置６０−１が移動すること等により無線基地局５０−１からの信号受信電力が弱くなった場合、無線パケット通信装置６０−１内の無線データ処理回路６２において多くの信号誤りが検出される。無線パケット通信装置６０−１内の制御回路６６は多くの信号誤りの検出結果に基づき、無線基地局５０−１以外の無線基地局５０を検索する判断を行い、検索動作を行うために必要な制御を行う。検索動作の結果、無線基地局５０−２からの信号受信電力が十分強い場合、無線パケット通信装置６０−１内の制御回路６６は、無線基地局５０−１から無線基地局５０−２へ収容切替を行う判断を行い、収容切替動作を行うために必要な制御を行う。
【０００４】
図５に従来の無線パケット通信装置が従来の無線基地局に対して収容切替を行う場合のシーケンス例を示す。同図において、図３と対応する部分に同一符号をつけてあり、無線パケット通信装置６０−１は、無線基地局５０−１に収容されている。
同図において無線パケット通信装置６０−１は、無線基地局５０−１と通信品質良好状態で通信中（ステップＳ７００）に移動することにより（ステップＳ７０５）、通信品質劣化状態（ステップＳ７１０）となる。この状態において、無線パケット通信装置６０−１は、周囲の無線基地局を検索し（ステップＳ７１５）、通信可能な無線基地局５０、すなわち、無線基地局５０−１及び５０−２からの送信信号１及び２を受信し（ステップＳ７２０、ステップＳ７２５）、その信号受信電力の強度を測定する（ステップＳ７３０）。無線パケット通信装置６０−１は、測定の結果に基づき収容切替判断を行い（ステップＳ７３５）、収容切替を実施しない場合は、無線基地局５０−１と通信を継続する（ステップＳ７４０）。また、収容切替を実施する場合は、無線基地局５０−２に対して収容切替要求を送信する（ステップＳ７５０）。収容切替要求を受信した無線基地局５０−２は、無線パケット通信装置６０−１に対して収容切替許可を送信する（ステップＳ７５５）。そして、無線パケット通信装置６０−１は無線基地局５０−２と通信中状態となる（ステップＳ７６０）。
【０００５】
【特許文献１】
特開平７−７５１５４号公報（段落００２５−段落００４６、第１図−第６図）
【０００６】
【発明が解決しようとする課題】
上述するように、従来技術において、無線パケット通信装置は、周辺の通信可能な無線基地局からの信号受信電力の強度のみに基づき収容切替の判断を行い、収容切替動作を実施している。そのため、収容切替先の無線基地局における通信トラヒック量が非常に多い場合、収容切替を行った無線パケット通信装置は、収容切替後に通信速度が低下したり、通信不可になることがあった。
【０００７】
この発明は、このような事情を考慮してなされたもので、その目的は、無線パケット通信装置が、周辺の通信可能な無線基地局からの信号受信電力の強度に加え、無線基地局における通信トラヒック量情報を考慮して収容切替先となる無線基地局を選択することができる無線通信システムを提供することにある。
【０００８】
【課題を解決するための手段】
この発明は、上記の課題を解決すべくなされたもので、請求項１に記載の発明は、無線パケット通信装置と、前記無線パケット通信装置と通信を行う無線基地局とからなる無線通信システムであって、前記無線パケット通信装置は、収容先の無線基地局の切替を必要とするときに、収容切替先の無線基地局を選択して通信トラヒック量情報の送信を要求するとともに、該要求に対応して収容切替先の無線基地局から受信した通信トラヒック量情報に基づき当該無線基地局への収容先切替を実施するか否かを判断し、この切替を実施することを決定した場合に該収容切替先の無線基地局との通信を行う収容切替判定手段を有し、前記無線基地局は、収容する無線パケット通信装置の情報を記憶するとともに、前記無線パケット通信装置から通信トラヒック量情報の送信の要求を受け、該無線パケット通信装置の収容を登録する無線パケット通信装置収容管理手段と、該無線基地局が収容している全ての無線パケット通信装置の通信トラヒック量を測定し、該要求の送信元の無線パケット通信装置へ通信トラヒック量情報を通知するトラヒック量測定伝送手段とを有する、ことを特徴とする無線通信システムである。
本発明を用いることにより、無線パケット通信装置が無線基地局に対して収容切替を行う場合において、周辺の通信可能な無線基地局に対して、通信トラヒック量情報の送信の要求を送信し、該要求を受信した無線基地局は、収容している全ての無線パケット通信装置の通信トラヒック量を測定し、測定結果を収容切替を行う無線パケット通信装置に対して送信する。収容切替を行う無線パケット通信装置は、通信トラヒック量情報を受信することができるため、無線基地局からの信号受信電力の強度のみに基づき、収容切替の判断および収容切替動作を実施するのではなく、信号受信電力強度と通信トラヒック量情報の両方に基づいて、適切な無線基地局を収容切替先として選択することができる。
【０００９】
また、請求項２に記載の発明は、無線パケット通信装置と、前記無線パケット通信装置と通信を行う無線基地局とからなる無線通信システムにおける無線パケット通信装置であって、収容先の無線基地局の切替を必要とするときに、収容切替先の無線基地局を選択して通信トラヒック量情報の送信を要求するとともに、該要求に対応して収容切替先の無線基地局から受信した通信トラヒック量情報に基づき当該無線基地局への収容先切替を実施するか否かを判断し、この切替を実施することを決定した場合に該収容切替先の無線基地局との通信を行う収容切替判定手段、を有することを特徴とする無線パケット通信装置である。
【００１０】
また、請求項３に記載の発明は、無線パケット通信装置と、前記無線パケット通信装置と通信を行う無線基地局とからなる無線通信システムにおける無線基地局であって、収容する無線パケット通信装置の情報を記憶するとともに、前記無線パケット通信装置から通信トラヒック量情報の送信の要求を受け、該無線パケット通信装置の収容を登録する無線パケット通信装置収容管理手段と、該無線基地局が収容している全ての無線パケット通信装置の通信トラヒック量を測定し、該要求の送信元の無線パケット通信装置へ通信トラヒック量情報を通知するトラヒック量測定伝送手段と、を有することを特徴とする無線基地局である。
【００１１】
また、請求項４に記載の発明は、無線パケット通信装置と、前記無線パケット通信装置と通信を行う無線基地局とからなる無線通信システムに用いられる収容切替方法であって、前記無線パケット通信装置が、収容先の無線基地局の切替を必要とするときに、収容切替先の無線基地局を選択して通信トラヒック量情報の送信を要求し、前記無線基地局が、前記無線パケット通信装置から通信トラヒック量情報の送信の要求を受け、該無線パケット通信装置の収容状態を内部に記憶し、該無線基地局が収容している全ての無線パケット通信装置の通信トラヒック量を測定して、該要求の送信元の無線パケット通信装置へ通信トラヒック量情報を通知し、前記無線パケット通信装置が、前記通信トラヒック量情報の要求に対応して受信した通信トラヒック量情報に基づき当該無線基地局への収容先切替を実施するか否かを判断し、この切替を実施することを決定した場合に該収容切替先の無線基地局との通信を行う、ことを特徴とする収容切替方法である。
【００１２】
また、請求項５に記載の発明は、無線パケット通信装置と、前記無線パケット通信装置と通信を行う無線基地局とからなる無線通信システムにおける無線パケット装置に用いられる収容切替方法であって、収容先の無線基地局の切替を必要とするときに、収容切替先の無線基地局を選択して通信トラヒック量情報の送信を要求し、該要求に対応して受信した通信トラヒック量情報に基づき当該無線基地局への収容先切替を実施するか否かを判断し、この切替を実施することを決定した場合に該収容切替先の無線基地局との通信を行う、ことを特徴とする収容切替方法である。
【００１３】
また、請求項６に記載の発明は、無線パケット通信装置と、前記無線パケット通信装置と通信を行う無線基地局とからなる無線通信システムにおける無線基地局に用いられる収容切替方法であって、前記無線パケット通信装置から通信トラヒック量情報の送信の要求を受け、該無線パケット通信装置の収容状態を内部に記憶し、該無線基地局が収容している全ての無線パケット通信装置の通信トラヒック量を測定して、該要求の送信元の無線パケット通信装置へ通信トラヒック量情報を通知する、ことを特徴とする収容切替方法である。
【００１４】
【発明の実施の形態】
図１は、この発明の一実施の形態による無線通信システムの構成を示すブロック図である。
無線通信システムは、複数の無線基地局１０−１〜１０−ｎ（以下、無線基地局１０）と、複数の無線パケット通信装置２０−１〜２０−ｎ（以下、無線パケット通信装置２０）とからなる。そして、無線パケット通信装置２０が無線通信を行うためには、少なくとも一台の無線基地局１０に収容されている必要がある。また、無線基地局１０は、複数の無線パケット通信装置２０を収容可能である。
【００１５】
無線基地局１０は、パケット入出力端子１１、無線データ処理回路１２、無線インタフェース回路１３、無線送受信機１４、アンテナ１５、制御回路１６、無線パケット通信装置収容管理回路１７及びトラヒック量測定伝送回路１８からなる。
パケット入出力端子１１は、外部のデータ処理装置やデータ処理回路などから無線パケット通信装置２０へ伝送すべきデータの入力を受け、無線データ処理回路１２に出力する機能と、無線データ処理回路１２から受けたデータを外部のデータ処理装置やデータ処理回路などに出力する機能を有する。
無線データ処理回路１２は、パケット入出力端子１１から受けたデータに対して無線通信に必要な誤り制御符号化等を行い、無線インタフェース回路１３へ出力する機能と、無線インタフェース回路１３から受けたデータに対して無線通信に必要な誤り制御復号化等を行い、パケット入出力端子１１へ出力する機能を有する。
無線インタフェース回路１３は、無線データ処理回路１２から受けたデータに対して無線による送信に必要なタイミング処理等を行い、無線送受信機１４へ出力する機能と、無線送受信機１４から受けたデータに対して無線受信に必要なタイミング処理等を行い、無線データ処理回路１２へ出力する機能を有する。
無線送受信機１４は、無線インタフェース回路１３が出力したデータを変調して、送信周波数にアップコンバートした後、アンテナ１５へ送る機能を有する。また、アンテナ１５から受けた無線信号を受信周波数からダウンコンバートして復調し、無線インタフェース回路１３へ受け渡す機能を有する。
アンテナ１５は、無線送受信機１４から受けたデータを無線信号により送信する機能と、無線信号を受信し、無線送受信機１４へ受け渡す機能を有する。
制御回路１６は、接続される各回路および無線送受信機１４への動作制御を行う。
無線パケット通信装置収容管理回路１７は、自身が収容している全ての無線パケット通信装置２０の収容登録状態を記憶し、管理する機能を有する。そして、新たに無線パケット通信装置２０を収容する際や、収容している無線パケット通信装置２０が収容解除となる際に収容登録状態を更新する。
トラヒック量測定伝送回路１８は、収容切替を行う無線パケット通信装置２０を新たに収容する際に、収容切替を行う無線パケット通信装置２０から送信された収容切替メッセージ内の通信トラヒック量情報の送信の要求を認識する機能と、制御回路１６に動作指示することにより、自身の収容している全ての無線パケット通信装置２０の通信トラヒック量を測定する機能と、収容切替を行う無線パケット通信装置２０へ測定した通信トラヒック量に基づく通信トラヒック量情報の送信するよう制御回路１６に指示する機能とを有する。
【００１６】
無線パケット通信装置２０は、パケット入出力端子２１、無線データ処理回路２２、無線インタフェース回路２３、無線送受信機２４、アンテナ２５、制御回路２６、収容切替判定回路２７からなる。
パケット入出力端子２１は、外部のデータ処理装置やデータ処理回路などから基地局１０へ伝送すべきデータの入力を受け、無線データ処理回路２２に出力する機能と、無線データ処理回路２２から受けたデータを外部のデータ処理装置やデータ処理回路に出力する機能を有する。外部のデータ処理装置やデータ処理回路の例としては、データの入力元にマイク、キー、データ測定装置などが、出力先に表示装置やスピーカ、データ記憶装置などが想定できる。
無線データ処理回路２２は、パケット入出力端子２１から受けたデータに対して無線通信に必要な誤り制御符号化等を行い、無線インタフェース回路２３へ出力する機能と、無線インタフェース回路２３から受けたデータに対して無線通信に必要な誤り制御復号化等を行い、パケット入出力端子２１へ出力する機能を有する。
無線インタフェース回路２３は、無線データ処理回路２２から受けたデータに対して無線による送信に必要なタイミング処理等を行い、無線送受信機２４へ出力する機能と、無線送受信機２４から受けたデータに対して無線受信に必要なタイミング処理等を行い、無線データ処理回路２２へ出力する機能を有する。
無線送受信機２４は、無線インタフェース回路２３が出力したデータを変調して、送信周波数にアップコンバートした後、アンテナ２５へ送る機能を有する。また、アンテナ２５から受けた無線信号を受信周波数からダウンコンバートして復調し、無線インタフェース回路２３へ受け渡す機能を有する。
アンテナ２５は、無線送受信機２４から受けたデータを無線信号により送信する機能と、無線信号を受信し、無線送受信機２４へ受け渡す機能を有する。
制御回路２６は、接続される各回路および無線送受信機２４への動作制御を行う。
収容切替判定回路２７は、無線パケット通信装置２０が無線基地局の収容切替を行う際に、収容切替先の無線基地局１０に対して、通信トラヒック量情報の送信の要求を含む収容切替メッセージを送信する機能と、通信トラヒック量情報の送信を要求を含む収容切替メッセージに対応して、無線基地局１０が送信した収容切替許可メッセージ内の通信トラヒック量情報を認識する機能と、受信した通信トラヒック量情報に基づき、収容切替を実施するか否かを判定する機能と、判定結果に基づき収容切替動作を制御する機能とを搭載する。
【００１７】
図２に同実施の形態による無線パケット通信装置が無線基地局に対して収容切替を行う場合のシーケンス例を示す。
図において無線パケット通信装置２０−１が、無線パケット通信装置２０−１を収容している無線基地局１０−１と通信品質良好状態で通信中（ステップＳ３００）に、移動を行うことにより無線基地局１０−１からの信号受信電力が弱くなる（ステップＳ３０５）。これにより、通信品質劣化状態となり、無線パケット通信装置２０−１内の無線データ処理回路２２において、多くの信号誤りが検出される（ステップＳ３１０）。無線パケット通信装置２０−１内の制御回路２６は、多くの信号誤りの検出結果に基づき、無線基地局１０−１以外の無線基地局１０を検索しなければならないことを判断すると、周囲の無線基地局１０を検索する（ステップＳ３１５）。検索の結果、通信可能な無線基地局１０、すなわち無線基地局１０−１からの送信信号１（ステップＳ３２０）及び無線基地局１０−２からの送信信号２を受信し（ステップＳ３２５）、その信号受信電力の強度を測定する（ステップＳ３３０）。測定の結果、無線基地局１０−２からの信号受信電力が十分強いと判断した場合、制御回路２６は、無線基地局１０−２への収容切替を判断する（ステップＳ３３５）。なお、収容切替を実施しない場合は、無線基地局１０−１との通信を継続する（ステップＳ３４０）。
【００１８】
一方、ステップＳ３３５において、無線基地局１０−２への収容切替を実施すると判断した場合、収容切替判定回路２７が制御回路２６へ指示することにより、無線基地局１０−２に対して通信トラヒック量情報の送信の要求を含む収容切替要求メッセージを送信する（ステップＳ３５０）。無線基地局１０−２の制御回路１６は、通信トラヒック量情報の送信の要求を含む収容切替要求メッセージを受信すると、無線パケット通信装置収容管理回路１７へ無線パケット通信装置２０−１の収容を指示するとともに、トラヒック量測定伝送回路１８に収容している全ての無線パケット通信装置２０の通信トラヒック量の測定を指示する（ステップＳ３５５）。無線パケット通信装置収容管理回路１７は、無線パケット通信装置２０−１を収容予定装置として登録し、タイマを起動する。また、トラヒック量測定伝送回路１８は、収容する全ての無線パケット通信装置２０との通信トラヒック量を測定し、通信トラヒック量情報を生成する。そして、制御回路１６へ指示することにより、無線パケット通信装置２０−１に対して通信トラヒック量情報を含む収容切替許可メッセージを送信する（ステップＳ３６０）。なお、通信トラヒック量情報は、トラヒック量測定伝送回路１８が測定した通信トラヒック量そのものであってもよいし、あるいは、測定した通信トラヒック量を基に算出した無線パケット通信装置２０−１に割り当て可能な通信トラヒック量、又は、スループットなどであってもよい。
【００１９】
無線パケット通信装置２０−１は、無線基地局１０−２から受信した収容切替許可メッセージに含まれる通信トラヒック量情報に基づき、最終収容切替判断を行う（ステップＳ３６５）。すなわち、無線パケット通信装置２０−１の収容切替判定回路２７は、現在の収容先の無線基地局１０−１との間の通信における、この最終収容切替判断を行う直前のスループット（以下、「スループット１」）と、受信した通信トラヒック量情報から算出した、収容切替実施後に無線基地局１０−２との間の通信に実施可能なスループット（以下、「スループット２」）とを比較する。そして、スループット２がスループット１より大きい場合、最終収容切替を実施すると判断して、無線基地局１０−２へデータパケットを送信する。無線基地局１０−２内の制御回路１６は、無線パケット通信装置２０−１からデータパケットを受信したことを認識すると、無線パケット通信装置収容管理回路１７へ通知する。無線パケット通信装置収容管理回路１７は、ステップＳ３５５において動作させたタイマを停止して、無線パケット通信装置２０−１を収容予定装置から収容中装置へと登録を変更する。これにより、無線パケット通信装置２０−１と無線基地局１０−２が通信中状態となる（ステップＳ３７０）。なお、無線基地局１０−１の無線パケット通信装置収容管理回路１７は、無線パケット通信装置２０−１からのデータパケットがある決められた時間以上受信できなかったことを認識し、収容中装置としての登録を削除する。あるいは、明示的に無線パケット通信装置２０−１、無線基地局１０−２などから収容の削除の要求を受けてもよい。
【００２０】
一方、ステップＳ３６５において、スループット２がスループット１より小さい場合、最終収容切替を実施しないと判断し、無線基地局１０−１との通信を継続する（ステップＳ３８０）。無線基地局１０−２の無線パケット通信装置収容管理回路１７は、予め決められたタイムアウト値までにデータパケットを受信できず、ステップＳ３５５において起動したタイマが満了した場合、無線パケット通信装置２０−１に対する収容予定装置の登録を削除する。あるいは、明示的に無線パケット通信装置２０−１から収容予定装置としての削除の要求を受けてもよい。
【００２１】
上記においては、無線パケット通信装置が通信可能な無線基地局として、無線基地局１０−１と無線基地局１０−２の場合を記載しているが、さらに多くの無線基地局１０と通信可能な場合、最終収容切替判断（ステップＳ３６５）において最終収容切替を実施しないと判断すると、無線基地局１０−１との通信を継続するのではなく、他の無線基地局１０に対して収容切替を実施することもある。
【００２２】
上述するように、無線パケット通信装置２０−１は、収容切替先となる無線基地局１０−２の通信トラヒック量情報を受信することができるため、無線基地局１０−２からの信号受信電力の強度のみに基づき、収容切替の判断および収容切替動作を実施するのではなく、収容切替先となる無線基地局１０−２の信号受信電力強度と通信トラヒック量情報の両方に基づいて、無線基地局１０−２を適切な収容切替先として選択することができる。
【００２３】
【発明の効果】
以上、説明したように本発明によれば、無線パケット通信装置が無線基地局の収容切替を行う場合において、無線基地局は、収容切替を行う無線パケット通信装置に対して通信トラヒック量情報を送信するため、収容切替を行う無線パケット通信装置は、無線基地局からの信号受信電力強度と通信トラヒック量情報の両方に基づいて、適切な収容切替先の無線基地局を選択できる効果が得られる。
【図面の簡単な説明】
【図１】本発明の一実施の形態による無線通信システムの構成を示すブロック図である。
【図２】同実施の形態による収容切替のシーケンスを示す図である。
【図３】無線通信システムにおいて、無線パケット通信装置が無線基地局への収容切替を行う場合の例を示す図である。
【図４】従来の無線通信システムの構成例を示すブロック図である。
【図５】従来方法による収容切替のシーケンス例を示す図である。
【符号の説明】
１０−１、１０−２、５０−１、５０−２…無線基地局
２０−１、６０−１、６０−２…無線パケット通信装置
１１、２１、５１、６１…パケット入出力端子
１２、２２、５２、６２…無線データ処理回路
１３、２３、５３、６３…無線インタフェース回路
１４、２４、５４、６４…無線送受信機
１５、２５、５５、６５…アンテナ
１６、２６、５６、６６…制御回路
１７、５７…無線パケット通信装置収容管理回路
１８…トラヒック量測定伝送回路
２７…収容切替判定回路
【図１】
2004186953.tif 000003
【図２】
2004186953.tif 000004
【図３】
2004186953.tif 000005
【図４】
2004186953.tif 000006
【図５】
2004186953.tif 000007